(57)【要約】【課題】従来のシャワーノズルをそのまま使用できながら、シャワーをライトアップして装飾するシャワー装置を提供する【解決手段】散水用のシャワーユニット１と、シャワーをライトアップするための装飾ユニット２とを有する。装飾ユニット２は、浴室の内面に支持されて先端が下方へ向けられるブラケット９と、ブラケット９の下端側に取り付けられて光を透過させる透光体４と、透光体４を通して散水側へ投光するための光源ユニット３とを有する。シャワーユニット１には、給水用の配水管６がブラケット９内を通って接続されていて、シャワーユニット１は、ブラケット９の下方に配される。シャワーユニット１の周囲を取り囲むように透光体４が配置されている。【選択図】図１
0003124171.tif 000002
【実用新案登録請求の範囲】
【請求項１】
散水用のシャワーユニット（１）と、シャワーをライトアップするための装飾ユニット（２）とを有するシャワー装置であって、
装飾ユニット（２）は、浴室の内面に支持されて先端が下方へ向けられるブラケット（９）と、ブラケット（９）の下端側に取り付けられて光を透過させる透光体（４）と、透光体（４）を通して散水側へ投光するための光源ユニット（３）とを有しており、
シャワーユニット（１）には、給水用の配水管（６）がブラケット（９）内を通って接続されていて、シャワーユニット（１）は、ブラケット（９）の下方に配されており、
シャワーユニット（１）の周囲を取り囲むように透光体（４）が配置されることを特徴とするシャワー装置。
【請求項２】
装飾ユニット（２）は、ブラケット（９）の下端に取り付けられるホルダー（１０）と、下面が開口するカバー（５）とを含み、
カバー（５）は、光源ユニット（３）を収容した状態で、透光体（４）の周縁部に下面開口部が着脱自在に係合しており、
ホルダー（１０）には、透光体（４）が取り付けられるとともに、カバー（５）が直接あるいは間接的に支持されており、
光源ユニット（３）がカバー（５）に保持されている請求項１記載のシャワー装置。
【請求項３】
光源ユニット（３）は、光源として複数の点光源（１７）を有する請求項２記載のシャワー装置。
【請求項４】
各点光源（１７）が、それぞれ発光ダイオード（１７）である請求項３記載のシャワー装置。
【請求項５】
光源ユニット（３）は、カバー（５）内に保持される基板（１６）を含み、
各発光ダイオード（１７）は、基板（１６）の下面に分散状に配されている請求項４記載のシャワー装置。
【請求項６】
少なくとも各発光ダイオード（１７）が、防水のために透明樹脂で被覆されている請求項５記載のシャワー装置。
【請求項７】
透光体（４）は、光を散乱させるための加工を施されている請求項６記載のシャワー装置。
【請求項８】
透光体（４）は、各発光ダイオード（１７）からの光が入射される入射面（４ａ）と、光を出射する出射面（４ｂ）とのうち、少なくとも一方の面が光を散乱させるための粗面加工を施されている請求項７記載のシャワー装置。
【請求項９】
透光体（４）の入射面（４ａ）のみが粗面加工を施されている請求項８記載のシャワー装置。
【請求項１０】
各発光ダイオード（１７）が、所定の隙間（Ｄ）を介して透光体（４）の入射面（４ａ）に臨んでいる請求項９記載のシャワー装置。
【請求項１１】
電源から各発光ダイオード（１７）への配線が、ブラケット（９）内を通っている請求項１０記載のシャワー装置。
【考案の詳細な説明】
【技術分野】
【０００１】
本考案は、シャワーをライトアップして装飾するシャワー装置に関する。
【背景技術】
【０００２】
光源を備えたシャワー装置は、特許文献１〜３に公知である。特許文献１では、環状のノズル本体に、水の噴出口と発光ダイオードとを交互に設けている。特許文献２では、白熱電球がノズル筒の開口端中央に配されていて、白熱電球の外周に出水孔が配されている。特許文献３では、光源からの光を光ファイバーを介してシャワー噴霧ヘッドの外周に導いている。
【０００３】
【特許文献１】特開２００２−２３８７９３号公報（段落番号００１２、図１）
【特許文献２】実開平５−８８６４７号公報（段落番号０００８、図１）
【特許文献３】実開昭５６−１６４０４３号公報（第１図、第２図）
【考案の開示】
【考案が解決しようとする課題】
【０００４】
特許文献１〜３のシャワー装置は、いずれもシャワーと光源とが一体物として組み立てられており、従来のシャワーノズルをそのまま利用することができない。
【０００５】
本考案の目的は、従来のシャワーノズルをそのまま使用できながら、シャワーをライトアップして装飾するシャワー装置を提供することにある。本考案の目的は、散水中も装飾効果を発揮できるシャワー装置を提供することにある。本考案の目的は、メンテナンスが容易なシャワー装置を提供することにある。
【課題を解決するための手段】
【０００６】
本考案が対象とするシャワー装置は、図５に示すごとく、散水用のシャワーユニット１と、シャワーをライトアップするための装飾ユニット２とを有する。装飾ユニット２は、図１に示すごとく、浴室の内面に支持されて先端が下方へ向けられるブラケット９と、ブラケット９の下端側に取り付けられて光を透過させる透光体４と、透光体４を通して散水側へ投光するための光源ユニット３とを有する。シャワーユニット１には、給水用の配水管６がブラケット９内を通って接続されていて、シャワーユニット１は、ブラケット９の下方に配される。シャワーユニット１の周囲を取り囲むように透光体４が配置されている。ここでのシャワーユニット１には、水または湯を散水するものが該当する。また、浴室の内面には、浴室の側壁や天井面が該当する。前記ライトアップするシャワーには、散水そのものと、シャワーユニット１とが含まれる。
【０００７】
装飾ユニット２は、ブラケット９の下端に取り付けられるホルダー１０と、下面が開口するカバー５とを含む。カバー５は、光源ユニット３を収容した状態で、透光体４の周縁部に下面開口部が着脱自在に係合する。ホルダー１０には、透光体４が取り付けられるとともに、カバー５が直接あるいは間接的に支持され、光源ユニット３がカバー５に保持される。ここでの周縁部とは、周縁のみでなく、周縁から少し内側寄りの箇所を含むことを意味する。また、前記間接的には、透光体４などを介して支持される場合が該当する。ホルダー１０と透光体４との両方に支持されていてもよい。
【０００８】
光源ユニット３は、光源として複数の点光源１７を有することが好ましい。各点光源１７は、それぞれ発光ダイオード１７であることが好ましい。
【０００９】
光源ユニット３は、カバー５に保持される基板１６を含み、図１および図２に示すごとく、各発光ダイオード１７は、基板１６の下面に分散状に配されることが好ましい。
【００１０】
少なくとも各発光ダイオード１７が、防水のために透明樹脂で被覆されていることが好ましい。
【００１１】
透光体４は、光を散乱させるための加工を施してもよい。透光体４は、図３に示すごとく、各発光ダイオード１７からの光が入射される入射面４ａと、光を出射する出射面４ｂとのうち少なくとも一方の面に、光を散乱させるための粗面加工を施してもよい。粗面加工は、サンドブラスト加工などが該当する。特に、透光体４の入射面４ａのみに粗面加工を施すことが、外観などの点から好ましい。
【００１２】
図１に示すごとく、各発光ダイオード１７は、所定の隙間Ｄを介して透光体４の入射面４ａに臨んでいる。
【００１３】
電源から各発光ダイオード１７への配線は、ブラケット９内を通らせることが、見栄えなどの点から好ましい。
【考案の効果】
【００１４】
本考案によれば、装飾ユニット２をシャワーユニット１に組み付けるだけで本シャワー装置を形成できるので、散水ノズル１ａなどが任意の形状であっても、装飾ユニット２をシャワーユニット１に組み付けることができる。したがって、従来のシャワーユニットを使用して、本シャワー装置を形成できる分だけ、設置の際の手間やコストを抑えながら、シャワーをライトアップできる。また、装飾ユニット２の透光体４は、シャワーユニット１を取り囲むように配置されるので、シャワーユニット１での散水が透光体４からの光を妨げ難くなり、散水中も装飾効果を発揮できる。
【００１５】
透光体４に対してカバー５が着脱自在に係合していると、カバー５を透光体４の上方に移動させて、透光体４の入射面４ａなどの汚れを拭き取るなど、メンテナンスが容易になる。
【００１６】
光源ユニット３の光源が複数の点光源１７であると、各点光源１７の光を複数の色に分けて配することで、趣向に応じてシャワーを装飾できる。点光源１７の数により明るさを調整することもできる。
【００１７】
点光源１７が発光ダイオード１７であると、発光ダイオード１７は白熱電球などに比べ長寿命であるため、交換などのメンテナンスの回数が少なくて済む。
【００１８】
各発光ダイオード１７が、透光体４に臨む状態で分散状に配されると、各発光ダイオード１７からの光を透光体４の入射面４ａに万遍なく入射させることができて、透光体４を面状の発光体のごとく光らせることができるとともに、光の利用率を高くすることができる。
【００１９】
透光体４に光を散乱させるための加工が施されていると、透光体４の出射面４ｂを直接見ても眩しくないようにすることができる。また、面照明と同様に影などができ難くなってライトアップ効果が向上する。特に、入射面４ａに粗面加工を施すと、透光体４の見栄えをよくすることができる。
【００２０】
各発光ダイオード１７が、所定の隙間Ｄを介して透光体４の入射面４ａに臨んでいると、各発光ダイオード１７で入射面４ａを広範囲に照射できるとともに、各発光ダイオード１７の照射範囲の中心のみが極端に明るくなるのを防ぐことができる。したがって、透光体４全体の明るさを一様に近づけることができる。
【００２１】
各発光ダイオード１７への配線がブラケット９内を通っていると、配線が見えなくなって見栄えが向上する。また、配線が浴室内の蒸気に晒されにくく、シャワーユニット１への給水は配水管６を通っているため給水に晒されることもないので、光源ユニット３の信頼性および漏電に対する安全性が向上する。
【考案を実施するための最良の形態】
【００２２】
図１ないし図５は本考案に係るシャワー装置の実施例を示す。図５に示すごとく、シャワー装置は、散水用のシャワーユニット１と、シャワーをライトアップして装飾するための装飾ユニット２とを有する。シャワー装置は、浴室内の浴槽Ｙの上方に配される。
【００２３】
シャワーユニット１は、図１に示すごとく、散水ノズル１ａを有しており、散水ノズル１ａの下面側には多数の散水孔１ｂが形成される。給水用の配水管６が、ブラケット９内を通ってシャワーユニット１に接続される。配水管６を介してシャワーユニット１の散水ノズル１ａへ水または湯が供給されて、散水孔１ｂから下方へ散水される。装飾ユニット２は、浴室の天井面（内面）に支持されて先端が下方へ向けられているブラケット９と、ブラケット９の下端側に取り付けられて光を透過させる透光体４と、透光体４を通して散水側へ投光するための光源ユニット３と、下面が開口して光源ユニット３を収容するカバー５と、ブラケット９の下端に取り付けられるホルダー１０とを有する。
【００２４】
ブラケット９は、浴室の天井面から下方へ延びる円管形状の部材で形成される。ホルダー１０は、ブラケット９に嵌め込んだ状態で４つのビス３１で締結固定される管部１０ａと、管部１０ａの下端に固定されるフランジ部１０ｂとからなる。フランジ部１０ｂの下面側に、透光体４が４つのビス３２で締結固定される。
【００２５】
透光体４は、透明アクリル樹脂などで円板形状に形成されており、シャワーユニット１を取り囲んでいる透光体４の下面の中央部には、シャワーユニット１を収容するための凹部４ｃを形成してある。
【００２６】
光源ユニット３は透光体４の上方に配されており、円板形状の取付板１５と、取付板１５の下面に接着固定される円板形状の基板１６と、基板１６の下面に固定される複数の発光ダイオード１７とを有する。各発光ダイオード１７には、取付板１５の通孔２３を介して、電気コード２２が接続される。本実施例では、基板１６、各発光ダイオード１７および電気コード２２と基板１６との接続部を、無色透明のシリコン樹脂で被覆して防水処理を施した。各発光ダイオード１７は、基板１６の下面において透光体４に臨む状態で分散状に配してあり、図２に示すごとく、３つの同心円の周方向にそれぞれ等間隔置きに固定する。各同心円上の発光ダイオード１７の個数は、それぞれ等しくしてある。各発光ダイオード１７は、浴室内の清潔感を向上させることができる白色発光ダイオードが適しているが、赤色や青色などの発光ダイオードであってもよく、また複数の色の発光ダイオードを混在させて配したものであってもよい。
【００２７】
カバー５は、円筒状の外周カバー部１９と、外周カバー部１９の上面開口を塞ぐ上面カバー部２０とからなる。上面カバー部２０の中央部には、図１に示すごとくホルダー１０が貫通状に配される。符号２５は、管部１０ａの上部に固定するリングで、上面カバー部２０の内周縁に当接して、上面カバー部２０が過度に管部１０ａの下部側へ落ち込まないように規制してある。また、上面カバー部２０の下面側には、４つのねじ管２１を介して、光源ユニット３の取付板１５が固定される。ねじ管２１の内側には雌ねじが形成されており、取付板１５の下面側と、上面カバー部２０の上面側とからそれぞれビス止めする。このようにして、光源ユニット３は、カバー５を介してホルダー１０に支持される。また、外周カバー部１９の下面開口が、透光体４の周縁部に着脱自在に係合している。
【００２８】
図３に示すごとく、透光体４は、各発光ダイオード１７からの光が入射される入射面４ａに対して、光を散乱させるためのサンドブラスト加工などの粗面加工を施されている。透光体４での光を出射する出射面４ｂには粗面加工は施さない。
【００２９】
各発光ダイオード１７と入射面４ａとの間には、所定の隙間Ｄを設けてあり、これによって各発光ダイオード１７が入射面４ａの広範囲を照射できるとともに、図４に示すごとく各発光ダイオード１７に対峙する個所周辺Ｋまで明るくなって、入射面４ａでの明るさにムラが生じることが軽減されて、透光体４全体の明るさの一様化を図れる。
【００３０】
電気コード２２は、配水管６と並行してブラケット９内を通っている。ブラケット９と、ホルダー１０の管部１０ａとには、それぞれ導出孔１１・１２を形成してあり、電気コード２２は、各導出孔１１・１２からカバー５の内側に導出されて、前述のように各発光ダイオード１７に接続される。
【００３１】
このように、浴室の天井面に支持されるブラケット９に、ホルダー１０を介して透光体４が取り付けられる。そして、透光体４が、カバー５と、それに取り付けられる光源ユニット３とを支持することで、装飾ユニット２を構成するブラケット９と、透光体４と、光源ユニット３と、カバー５と、ホルダー１０とが一体化される。一方、シャワーユニット１は、それへの配水管６がブラケット９内を通っているだけで、装飾ユニット２に支持されているものでも、装飾ユニット２を支持するものでもない。したがって、散水ノズル１ａなどが任意の形状であっても、装飾ユニット２の透光体４を、シャワーユニット１の周囲を取り囲むように配置できる。また、カバー５は透光体４に対して着脱自在であるので、カバー５と、これに固定される光源ユニット３とを、透光体４の上方に移動させて、入射面４ａなどの汚れを拭き取ることができて、メンテナンスが容易になる。
【００３２】
本シャワー装置の組み付け手順の一例について説明する。上面カバー部２０と取付板１５と基板１６との各中央には、ホルダー１０を貫通させるための孔が設けられている。また、電気コード２２の先端のコネクタ２８と基板１６のコネクタ２８とは、防水加工されている。ホルダー１０の外径は、ブラケット９の外径とほぼ等しくなっている。
【００３３】
まず、図３に示すごとく、光源ユニット３と上面カバー部２０とを各ねじ管２１を介して締結固定して、上面ユニット２７として一体化しておく。また、ホルダー１０のフランジ部１０ｂと透光体４とをビス３２で締結固定する。ブラケット９には、配水管６および電気コード２２が通されており、シャワーユニット１は配水管６から外されている。
【００３４】
次に、上面ユニット２７の中央の孔および外周カバー部１９をブラケット９に通して、上面ユニット２７と外周カバー部１９とを上側に持ち上げた状態で、ホルダー１０の管部１０ａを各ビス３１でブラケット９に締結固定する。このとき、ブラケット９の導出孔１１とホルダー１０の導出孔１２との位置を合わせておき、導出孔１１・１２から電気コード２２を導出させる。
【００３５】
続いて、電気コード２２のコネクタ２８を基板１６のコネクタ２８に接続する。この後、外周カバー部１９を下げて下面開口を透光体４の周縁部に係合し、かつ上面ユニット２７を下げて外周カバー部１９の上面開口に嵌め込む。次いで、シャワーユニット１を継手７を介して配水管６に接続する。最後に、散水ノズル１ａの上面と透光体４の凹部４ｃの内面とを両面テープなどにより接着すると、図１に示すようなシャワー装置が完成する。なお、シャワーユニット１の接続後の配水管６は、例えば天井面の内部へ引き上げて、シャワーユニット１を凹部４ｃに収容することになる。
【００３６】
組み付け手順は、上記のものに限られず、順序を入れ換えたものでもよい。カバー５の上面カバー部２０と外周カバー部１９とは、一体形成したものであってもよく、さらにホルダー１０も含めて一体形成したものでもよい。シャワーユニット１の一部は、透光体４の凹部４ｃから飛び出してもよい。
【００３７】
本シャワー装置は、いわゆるミストシャワーであってもよい。粗面加工を施すのは透光体４の出射面４ｂのみであってもよく、入射面４ａと出射面４ｂの両方に粗面加工を施してもよい。光を散乱させるための加工としては、透光体４の全体を光散乱効果の大きい樹脂で成形してもよく、またガラス繊維などを含んだ透明アクリル樹脂などで透光体４を成形してもよい。
【図面の簡単な説明】
【００３８】
【図１】シャワー装置の縦断正面図である。
【図２】図１のＡ−Ａ線断面図である。
【図３】シャワー装置の分解断面図である。
【図４】発光ダイオードを点灯した状態でのシャワー装置の底面図である。
【図５】シャワー装置を設置した浴室の斜視図である。
【符号の説明】
【００３９】
１  シャワーユニット
２  装飾ユニット
３  光源ユニット
４  透光体
５  カバー
６  配水管
９  ブラケット
１０  ホルダー
【図１】
0003124171.tif 000003
【図２】
0003124171.tif 000004
【図３】
0003124171.tif 000005
【図４】
0003124171.tif 000006
【図５】
0003124171.tif 000007